(57)【要約】【課題】セキュリティーの問題、トラフィックの増大を解消するとともに、各ＭＦＰの管理、各ＭＦＰやＰＣからの設定、データの一元管理を可能にしたデータ配信技術の提供。【解決手段】端末装置（ＭＦＰ２２０ａ、２２０ｂ，ＰＣ２３０）と、端末装置を管理する集中情報管理装置２１０と、センター１００とを有し、集中情報管理装置２１０は、端末装置を管理するとともにこれらからの要求（配信時間，配信内容および端末装置の指定）を受信する手段２１０ｂと、受信した要求を保存する手段２１０ｃと、センターに要求を送信する手段２１０ａと、センターが送信したデータを受信する手段２１０ｄと、受信したデータを保存する手段２１０ｅと、保存されているデータを要求に基づいてデータを配信するデータ配信手段２１０ｆとを備える。【選択図】図２
2011199710.tif 000002
【特許請求の範囲】
【請求項１】
表示部と音声発生部を備える複数の端末装置と、該複数の端末装置を集中管理する集中情報管理装置と、センターとを具備するデータ配信システムであって、
前記集中情報管理装置は、前記複数の端末装置からのリクエストを設定する手段と、前記複数の端末装置からのリクエストが当該集中情報管理装置に保存されていないデータを指定している場合に該データを前記センターに要求する手段と、該センターから送信された該データを受信して保存する手段と、該保存したデータを、前記リクエストによって指定されたスケジュールにより、前記リクエストによって指定された端末装置に配信する手段を有することを特徴とするデータ配信システム。
【請求項２】
複数の端末装置と、該複数の端末装置を集中管理する集中情報管理装置と、センターとを具備するデータ配信システムであって、
前記複数の端末装置は、
前記集中情報管理装置から配信された配信データ本体を表示画面に表示する表示装置および音声で出力する音声出力装置を備え、かつ、該複数の端末装置の少なくとも一つは、前記集中情報管理装置に対して、該複数の端末装置への配信スケジュール（配信時間），配信内容および配信すべき端末装置の指定を含む要求を送信する手段を有し、
前記集中情報管理装置は、
前記複数の端末装置の少なくとも一つから前記複数の端末装置に対する配信スケジュール（配信時間），配信内容および配信すべき端末装置の指定を含むリクエストを受信する手段と、
受信した前記リクエストを設定部に設定する手段と、
前記センターに、前記設定されているリクエストの内の配信内容のジャンルを送信する手段と、
前記センターが前記配信内容のジャンルに基づいて送信した配信内容の項目リストを受信する手段と、
受信した配信内容の項目リストと以前に保存している配信内容の項目リストを比較し、差分がある場合は該差分に対応する配信内容のデータ本体を前記センターに要求する手段と、
前記センターから送信された配信内容のデータ本体を保存する手段と、
前記保存されている配信内容のデータ本体を、前記リクエストによって指定されたスケジュールにより、前記リクエストによって指定された端末装置に配信する手段を有し、
前記センターは、
前記集中情報管理装置からリクエストの内の配信内容のジャンルを受信し、該受信した配信内容のジャンルに対応する項目リストを前記集中情報管理装置に送信する手段と、
前記集中情報管理装置から項目リストの差分を受信し、該項目リストの差分に対応する配信内容のデータ本体を前記集中情報管理装置に送信する手段と、
を有することを特徴とするデータ配信システム。
【請求項３】
請求項１または２に記載のデータ配信システムにおいて、
前記複数の端末装置の各々は、ＭＦＰまたはＰＣのいずれかまたはその組み合わせであることを特徴とするデータ配信システム。
【請求項４】
請求項１から３のいずれかに記載のデータ配信システムにおいて、
前記配信時間，配信内容および配信すべき端末装置の指定を含むリクエストは、集中情報管理装置からも指定可能としたことを特徴とするデータ配信システム。
【請求項５】
請求項１から４のいずれかに記載のデータ配信システムにおいて、
前記集中情報管理装置は、前記複数の端末装置のＩＰアドレスが変更されても再検索可能であることを特徴とするデータ配信システム。
【請求項６】
コンピュータを、請求項１から５のいずれかに記載のデータ配信システムにおける各手段として機能させるためのプログラム。
【請求項７】
表示部と音声発生部を備える複数の端末装置と、該複数の端末装置を集中管理する集中情報管理装置と、センターとを具備するデータ配信方法であって、
前記集中情報管理装置が、前記複数の端末装置からのリクエストを設定部に設定するステップと、前記複数の端末装置からのリクエストが当該集中情報管理装置に保存されていないデータを指定している場合に該データを前記センターに要求するステップと、該センターから送信された該データを受信して保存するステップと、該保存したデータを、前記複数の端末装置の内の前記リクエストによって指定されたスケジュールにより前記リクエストによって指定された端末装置に配信するステップを有することを特徴とするデータ配信方法。
【請求項８】
複数の端末装置と、該複数の端末装置を集中管理する集中情報管理装置と、センターとを具備するデータ配信方法であって、
前記複数の端末装置は、
前記集中情報管理装置から配信された配信データ本体を表示画面に表示する表示装置および音声で出力する音声出力装置を備え、かつ、
前記複数の端末装置の少なくとも一つが、前記集中情報管理装置に対して、該複数の端末装置への配信スケジュール（配信時間），配信内容および配信すべき端末装置の指定を含む要求を送信するステップと、
前記集中情報管理装置が、前記複数の端末装置の少なくとも一つから前記複数の端末装置に対する配信スケジュール（配信時間），配信内容および配信すべき端末装置の指定を含むリクエストを受信するステップと、受信した前記リクエストを設定部に設定するステップと、前記センターに、前記設定されているリクエストの内の配信内容のジャンルを送信するステップと、
前記センターが、前記集中情報管理装置からリクエストの内の配信内容のジャンルを受信し、該受信した配信内容のジャンルに対応する項目リストを前記集中情報管理装置に送信するステップと、
前記集中情報管理装置が、前記センターが送信した項目リストを受信するステップと、受信した項目リストと以前に保存している項目リストを比較し、項目リストに差分がある場合は該差分を前記センターに送信するステップと、
前記センターが、前記集中情報管理装置から項目リストの差分を受信し、該項目リストの差分に対応する配信内容のデータ本体を前記集中情報管理装置に送信するステップと、
前記集中情報管理装置が、前記センターから送信された配信内容のデータ本体を受信して保存するステップと、該保存されている配信内容のデータ本体を、前記リクエストによって指定されたスケジュールにより、前記リクエストによって指定された端末装置に配信するステップと、
前記複数の端末装置が、前記集中情報管理装置から配信された配信内容のデータ本体を表示装置に表示するかあるいは音声発生装置に音声で出力するステップと、
を有することを特徴とするデータ配信方法。
【請求項９】
請求項７または８に記載のデータ配信方法において、
前記複数の端末装置の各々は、ＭＦＰまたはＰＣのいずれかまたはその組み合わせであることを特徴とするデータ配信方法。
【請求項１０】
請求項７から９のいずれかに記載のデータ配信方法において、
前記複数の端末装置への配信スケジュール（配信時間），配信内容および配信すべき端末装置の指定を含むリクエストは、集中情報管理装置からも指定可能としたことを特徴とするデータ配信方法。
【請求項１１】
請求項７から１０のいずれかに記載のデータ配信方法において、
前記集中情報管理装置は、前記複数の端末装置のＩＰアドレスが変更されても再検索可能であることを特徴とするデータ配信方法。
【発明の詳細な説明】
【技術分野】
【０００１】
本発明は、センターからＭＦＰ（MultiFunction Printer/Product/Peripheral）やＰＣ（Personal Computer）など表示装置と音声発生装置（スピーカ）を備えた複数のデータ端末に表示データや音源データを配信する技術に係り、特に、複数のデータ端末を集中管理するとともに、該複数のデータ端末からの個々の要求により指定された表示データや音源データを指定されたスケジュール（時間）で配信することが可能なデータ配信システムおよびデータ配信方法、ならびにそのためのプログラムに関する。
【背景技術】
【０００２】
データ端末にデータを配信する従来の装置としては、例えば、特開２００２−１１６７７２号公報「インターネット回線を用いた自動放送システム」（特許文献１）がある。これは、予め指定された時刻にコンピュータや携帯用通信機器に保存された放送用音源ファイルを自動的に放送するようにした自動放送システムにおいて、ユーザーコンピュータ側における放送内容及び放送日時の変更などに柔軟に対応しながら、サーバーコンピュータからユーザーコンピュータに対して放送に必要な放送用音源ファイル（ナレーション、音楽、チャイムなど）の配信を行うようにするために、放送用音源ファイルの配信を管理するサーバーコンピュータと、設定された日時に所定の自動放送を行うように設定された複数のユーザーコンピュータとをインターネット回線を介して接続可能とし、サーバーコンピュータは、各ユーザーコンピュータをインターネット回線を通じて順に巡回し、各ユーザーコンピュータ毎に、前回巡回時と今回巡回時との放送スケジュールファイルを比較し、変更が確認されたならば、変更によって追加が必要となった放送用音源ファイルを配信し、前記音源ファイル格納部内に保存する放送用音源ファイルの配信管理制御部を持たせたものである。
【先行技術文献】
【特許文献】
【０００３】
【特許文献１】特開２００２−１１６７７２号公報
【発明の概要】
【発明が解決しようとする課題】
【０００４】
しかしながら、上記特許文献１に記載されたものは、次のような問題点を有している。
サーバーコンピュータが主導となっているのでセキュリティーに問題があり、またサーバーコンピュータが主導となって複数のユーザーコンピュータを巡回するようにしているのでトラフィックが増大するという問題もある。
【０００５】
また、特許文献１に記載されたものは、サーバーコンピュータが主導となって複数のユーザーコンピュータを巡回するようにしているもので、ＭＦＰを管理すること、ＭＦＰからの設定を反映することができず、さらに、音源データや表示データを各ユーザーコンピュータがそれぞれ個別に保持しているので、データの一元管理ができない、という問題がある。
【０００６】
そこで、本発明は、複数の端末装置を集中管理する集中情報管理装置を追加することにより、従来のサーバーコンピュータが主導となることによるセキュリティーの問題、トラフィックの増大の問題を解消するとともに、各ＭＦＰやＰＣの集中管理、各ＭＦＰやＰＣからのリクエストの設定、データの一元管理を可能にしたデータ配信システムおよびデータ配信方法、ならびにそのためのプログラムを提供することを目的としている。
【課題を解決するための手段】
【０００７】
本発明は、上記目的を達成するために、ＭＦＰやＰＣなどの複数の端末装置とセンターとの間に、これらの複数の端末装置を集中的に一元管理する集中情報管理装置を設けたことを特徴とするものであり、集中情報管理装置がＭＦＰやＰＣを一元管理していることによって、音源データや表示データを一括で管理し、ＭＦＰやＰＣ個別に対して必要なデータの配信を行うようにし、また、ＭＦＰやＰＣ（あるいは集中情報管理装置自体）からの要求を集中情報管理装置が保存するようにしたことにより、ＭＦＰやＰＣ（あるいは集中情報管理装置自体）から設定内容やデータの配信内容の変更を可能としている。
【０００８】
さらに詳細には、
ａ）本発明に係るデータ配信システムは、表示部と音声発生部（音源部）を備える複数の端末装置と、該複数の端末装置を集中管理する集中情報管理装置と、センターとを具備するデータ配信システムであって、前記集中情報管理装置は、前記複数の端末装置からのリクエストを設定する手段と、前記複数の端末装置からのリクエストが当該集中情報管理装置に保存されていないデータを指定している場合に該データを前記センターに要求する手段と、該センターから送信された該データを受信して保存する手段と、該保存したデータを、前記リクエストによって指定されたスケジュールにより、前記リクエストによって指定された端末装置に配信する手段を有することを特徴としている。
【０００９】
ｂ）また、複数の端末装置と、該複数の端末装置を集中管理する集中情報管理装置と、センターとを具備するデータ配信システムであって、前記複数の端末装置は、前記集中情報管理装置から配信された配信データ本体を表示画面に表示する表示装置および音声で出力する音声出力装置を備え、かつ、該複数の端末装置の少なくとも一つは、前記集中情報管理装置に対して、該複数の端末装置への配信スケジュール（配信時間），配信内容および配信すべき端末装置の指定を含む要求を送信する手段を有し、前記集中管理装置は、前記複数の端末装置の少なくとも一つから前記複数の端末装置に対する配信スケジュール（配信時間），配信内容および配信すべき端末装置の指定を含むリクエストを受信する手段と、受信した前記リクエストを設定部に設定する手段と、前記センターに、前記設定されているリクエストの内の配信内容のジャンルを送信する手段と、前記センターが前記配信内容のジャンルに基づいて送信した配信内容の項目リストを受信する手段と、受信した配信内容の項目リストと以前に保存している配信内容の項目リストを比較し、差分がある場合は該差分に対応する配信内容のデータ本体を前記センターに要求する手段と、前記センターから送信された配信内容のデータ本体を保存する手段と、前記保存されている配信内容のデータ本体を、前記リクエストによって指定されたスケジュールにより、前記リクエストによって指定された端末装置に配信する手段を有し、前記センターは、前記集中情報管理装置からリクエストの内の配信内容のジャンルを受信し、該受信した配信内容のジャンルに対応する項目リストを前記集中情報管理装置に送信する手段と、前記集中情報管理装置から項目リストの差分を受信し、該項目リストの差分に対応する配信内容のデータ本体を前記集中情報管理装置に送信する手段と、を有することを特徴としている。
【００１０】
ｃ）また上記ａ）またはｂ）において、前記複数の端末装置の各々は、ＭＦＰまたはＰＣのいずれかまたはその組み合わせであることを特徴とし、さらに、前記配信時間，配信内容および配信すべき端末装置の指定を含むリクエストは、集中情報管理装置からも指定可能としたことを特徴とし、さらに、前記集中情報管理装置は、前記複数の端末装置のＩＰアドレスが変更されても再検索可能であることを特徴としている。
【００１１】
ｄ）本発明に係るプログラムは、コンピュータを、ａ）〜ｃ）のいずれかに記載のデータ配信システムにおける各手段として機能させるためのプログラムである。
【００１２】
ｅ）本発明に係るデータ配信方法は、表示部と音声発生部を備える複数の端末装置と、該複数の端末装置を集中管理する集中情報管理装置と、センターとを具備するデータ配信方法であって、前記集中情報管理装置が、前記複数の端末装置からのリクエストを設定部に設定するステップと、前記複数の端末装置からのリクエストが当該集中情報管理装置に保存されていないデータを指定している場合に該データを前記センターに要求するステップと、該センターから送信された該データを受信して保存するステップと、該保存したデータを、前記複数の端末装置の内の前記リクエストによって指定されたスケジュールにより前記リクエストによって指定された端末装置に配信するステップを有することを特徴としている。
【００１３】
ｆ）また、複数の端末装置と、該複数の端末装置を集中管理する集中情報管理装置と、センターとを具備するデータ配信方法であって、前記複数の端末装置は、前記集中情報管理装置から配信された配信データ本体を表示画面に表示する表示装置および音声で出力する音声出力装置を備え、かつ、前記複数の端末装置の少なくとも一つが、前記集中情報管理装置に対して、該複数の端末装置への配信スケジュール（配信時間），配信内容および配信すべき端末装置の指定を含む要求を送信するステップと、前記集中管理装置が、前記複数の端末装置の少なくとも一つから前記複数の端末装置に対する配信スケジュール（配信時間），配信内容および配信すべき端末装置の指定を含むリクエストを受信するステップと、受信した前記リクエストを設定部に設定するステップと、前記センターに、前記設定されているリクエストの内の配信内容のジャンルを送信するステップと、前記センターが、前記集中情報管理装置からリクエストの内の配信内容のジャンルを受信し、該受信した配信内容のジャンルに対応する項目リストを前記集中情報管理装置に送信するステップと、前記集中情報管理装置が、前記センターが送信した項目リストを受信するステップと、受信した項目リストと以前に保存している項目リストを比較し、項目リストに差分がある場合は該差分を前記センターに送信するステップと、前記センターが、前記集中情報管理装置から項目リストの差分を受信し、該項目リストの差分に対応する配信内容のデータ本体を前記集中情報管理装置に送信するステップと、前記集中情報管理装置が、前記センターから送信された配信内容のデータ本体を受信して保存するステップと、該保存されている配信内容のデータ本体を、前記リクエストによって指定されたスケジュールにより、前記リクエストによって指定された端末装置に配信するステップと、前記複数の端末装置が、前記集中情報管理装置から配信された配信内容のデータ本体を表示装置に表示するかあるいは音声発生装置に音声で出力するステップと、を有することを特徴としている。
【００１４】
ｇ）また、上記ｅまたはｆ）において、前記複数の端末装置の各々は、ＭＦＰまたはＰＣのいずれかまたはその組み合わせであることを特徴とし、さらに、前記複数の端末装置への配信スケジュール（配信時間），配信内容および配信すべき端末装置の指定を含むリクエストは、集中情報管理装置からも指定可能としたことを特徴とし、さらに、前記集中情報管理装置は、前記複数の端末装置のＩＰアドレスが変更されても再検索可能であることを特徴としている。
【発明の効果】
【００１５】
本発明によれば、ＭＦＰやＰＣなどの複数の端末装置とセンターとの間に、これらの複数の端末装置を集中的に一元管理する集中情報管理装置を追加したことにより、サーバーコンピュータが主導となることによるセキュリティーの問題、トラフィックの増大を解消するとともに、各ＭＦＰやＰＣの管理、各ＭＦＰやＰＣ（あるいは集中情報管理装置自体）からの設定、データの一元管理を可能にしたデータ配信システムおよびデータ配信方法、ならびにそのためのプログラムを実現できる。
【図面の簡単な説明】
【００１６】
【図１】本発明に係るデータ配信システムの全体概要図である。
【図２】図１に示したデータ配信システムにおける各装置の内部ブロックを追加した構成図である。
【図３】配信の設定時における集中情報管理装置２１０の処理フローチャートである。
【図４】配信内容の更新確認時における集中情報管理装置２１０の処理フローチャートである。
【図５】ニュース配信用の管理テーブルＡ１の構成例を示す図である。
【図６】音楽ダウンロード用の管理テーブルＡ２の構成例を示す図である。
【図７】音声配信用の管理テーブルＡ３の構成例を示す図である。
【図８】ニュースデータの管理テーブルＡ４の構成例を示す図である。
【図９】音声データの管理テーブルＡ５の構成例を示す図である。
【図１０】音声配信用の管理テーブルの具体例１を示す図である。
【図１１】音声配信用の管理テーブルの具体例２を示す図である。
【図１２】図１０〜図１１の例で示した音声データ番号１〜１０の具体例を示す図である。
【図１３】ニュースデータ番号の具体例を示す図である。
【発明を実施するための形態】
【００１７】
以下、本発明の実施例を、図面を用いて詳細に説明する。
図１は、本発明に係るデータ配信システムの全体概要図である。
同図において、１００はセンター、２００はお客様環境（ユーザの装置環境）、３００はインターネットである。
【００１８】
お客様環境２００は、集中情報管理装置２１０、ネットワークスピーカー対応ＭＦＰ２２０ａ，２２０ｂ、ＰＣ２３０、ネットワーク（ＬＡＮ）２４０を有する。集中情報管理装置２１０は、大容量メモリとしてＳＳＤ（Flash Solid State Drive、あるいは、Flash Solid State Disk）２１１を備えている。
【００１９】
図２は、図１に示したデータ配信システムにおける各装置の内部ブロックを追加した構成図である。
同図に示す各装置の内部ブロックは一例を示したもので、本発明に直接関係のない構成（ＭＦＰやＰＣが元来具備している特有の構成）は省略している。また、同図に示した各装置の内部ブロックの中には後述するように、必ずしも必須の構成でないものもある（例えば、全ての端末装置の設定要求をＰＣで行うようにした場合にはＭＦＰのリクエスト送信部は不要など）。
【００２０】
同図の例では、センター１００はリクエスト受信部１００ａ、データ配信部１００ｂを有し、お客様環境（ユーザの装置環境）２００は、集中情報管理装置２１０、複数のＭＦＰ２２０ａ，２２０ｂ・・（図では２個のみを示す）、ＰＣ２３０を有している。
【００２１】
さらに、集中情報管理装置２１０は、リクエスト送信部２１０ａ、リクエスト受信部２１０ｂ、設定部２１０ｃ、データ受信部２１０ｄ、データ保存部２１０ｅ、データ配信部２１０ｆを有し、ＭＦＰ２２０ａはリクエスト送信部２２０ａ０、音源部２２０ａ１、表示部２２０ａ２、データ受信部２２０ａ３を有し、ＭＦＰ２２０ｂはリクエスト送信部２２０ｂ０、音源部２２０ｂ１、表示部２２０ｂ２、データ受信部２２０ｂ３を有し、ＰＣ２３０はリクエスト送信部２３０ａ、音源部２３０ｂ、表示部２３０ｃ、データ受信部２３０ｄを有している。
【００２２】
次に、図２の構成を参照しながら、（ａ）館内放送システム、（ｂ）ニュース表示システムに適用した場合の基本的な処理例を説明する。
【００２３】
（１）＜館内放送システムに適用した場合＞
ａ）ＰＣ２３０のリクエスト送信部２３０ａから要求データ（放送スケジュール（放送時間）や放送内容、配信すべき端末装置の指定）を集中情報管理装置２１０に送信し、集中情報管理装置２１０のデータ受信部２１０ｄで受信し、設定部２１０ｃに設定する（なお、ＰＣからの設定の他、ＭＦＰや集中情報管理装置からも設定可能）。
【００２４】
ｂ）集中情報管理装置２１０は、要求された放送時間になったら、要求された放送内容をデータ保存部２１０ｅから取り出してデータ配信部２１０ｆからＭＦＰ２２０ａの音源部２２０ａ１およびＭＦＰ２２０ｂの音源部２２０ｂ１へ配信する（配信先としてＭＦＰ２２０ａとＭＦＰ２２０ｂが設定されている場合）。
【００２５】
ｃ）ＭＦＰ２２０ａの音源部２２０ａ１およびＭＦＰ２２０ｂの音源部２２０ｂ１から音声出力が行われる
【００２６】
（２）＜ニュース表示システムに適用した場合＞
ａ）ＰＣ２３０のリクエスト送信部２３０ａから要求データ（放送スケジュール（放送時間）や放送内容、配信すべき端末装置の指定）を集中情報管理装置２１０に送信し、集中情報管理装置２１０のデータ受信部２１０ｄで受信し、設定部２１０ｃに設定する（なお、ＰＣからの設定の他、ＭＦＰや集中情報管理装置からも設定可能）。
【００２７】
ｂ）集中情報管理装置２１０のリクエスト送信部２１０ａからセンター１００へリクエスト（要求データ）を送信する。
【００２８】
ｃ）センター１００にリクエストされたニュースデータがあれば集中情報管理装置２１０のデータ受信部２１０ｄがセンター１００のデータ配信部１００ｂから表示すべきニュースデータをダウンロードし、データ保存部２１０ｅに保存する。
【００２９】
ｄ）集中情報管理装置２１０のデータ保存部２１０ｅに保存されているニュースデータをデータ配信部２１０ｆからＭＦＰ２２０ａの表示部２２０ａ２およびＭＦＰ２２０ｂの表示部２２０ｂ２へ配信する（配信先としてＭＦＰ２２０ａとＭＦＰ２２０ｂが設定されている場合）。
【００３０】
ｅ）ＭＦＰ２２０ａの表示部２２０ａ２およびＭＦＰ２２０ｂの表示部２２０ｂ２にニュースデータの表示が行われる。
（なお、データ保存部２１０ｅに保存されているニュースデータを配信する場合は上記ｂ）〜ｃ）の処理は省略可）、
【００３１】
次に、配信の設定時における集中情報管理装置２１０の処理を説明する。
図３は、配信の設定時における集中情報管理装置２１０の処理フローチャートである。
【００３２】
配信内容は、館内放送であれば、ジャンル別再生曲リスト・館内アナウンスなどであり、ニュース表示であれば最新ニュースのリストなどである。
【００３３】
集中情報管理装置２１０は配信の設定を行なったあと、一定間隔で配信内容の更新があるかどうかをセンターに確認する。
【００３４】
図３において、ステップＳ１００において、ＭＦＰやＰＣ（あるいは集中情報管理装置自身も可）のブラウザから配信スケジュール（配信時間）、配信内容のジャンル、配信するＭＦＰ（あるいはＰＣ）を指定し、それを設定部２１０ｃに設定する。
【００３５】
次に、ステップＳ１１０において、センター１００に配信内容のジャンルを送信する。センター１００では、リクエスト受信部１００ａで配信内容のジャンルを受信し、配信内容のジャンルの送信結果（受信成功）を送信する。ステップＳ１２０において、集中情報管理装置２１０がセンター１００から配信内容のジャンルの送信結果（受信成功）を受信し、さらにステップＳ１３０において、センター１００のデータ配信部１００ｂからデータ（配信内容の実体）を受信する。
【００３６】
次に、ステップＳ１４０において、センター１００から受信したデータ（配信内容の実体）をデータ保存部２１０ｅに保存する。
【００３７】
ステップＳ１５０で配信スケジュール（配信時間）になるのを待ち、配信時間になったら（ステップＳ１５０：Ｙ）、指定されたＭＦＰあるいはＰＣにデータを配信する（ステップＳ１６０）。指定されたＭＦＰあるいはＰＣが正常に受信できた場合、該指定されたＭＦＰあるいはＰＣからデータ配信結果（受信成功）を受信する（ステップＳ１７０）。指定されたＭＦＰあるいはＰＣは配信されたデータ（配信内容の実体）を出力する（表示装置への表示、あるいはスピーカでの音声出力）。
【００３８】
次に、配信内容の更新確認時における集中情報管理装置２１０の処理を説明する。
図４は、配信内容の更新確認時における集中情報管理装置２１０の処理フローチャートである。
【００３９】
ステップＳ２００において、センター１００へデータの配信内容のジャンルを送信する。ステップＳ２１０において、センター１００から配信内容のジャンルの送信結果（受信成功）を受信する。
【００４０】
次に、ステップＳ２１５において、センター１００から配信内容のジャンルに対する項目リストを受信する。次に、ステップＳ２２０において、センター１００から受信した新項目リストと既に集中情報管理装置２１０に配信されている旧項目リストとを比較し、両方の項目リストに差分がない場合は（ステップＳ２２０：Ｎ）、今回センター１００から受信した新項目リストに変更（更新）がないと判定し、ステップＳ２００に戻る。
【００４１】
新項目リストと旧項目リストに差分がある場合は（ステップＳ２２０：Ｙ）、ステップＳ２３０において、センター１００へ差分のあるデータ番号（データ項目）を送信する。これを受けてセンター１００は差分のあるデータ番号（データ項目）に対応するデータ本体（配信内容の実体）を集中情報管理装置２１０に送信する。
【００４２】
次に、集中情報管理装置２１０は、センター１００が送信した差分のあるデータ番号（データ項目）に対応するデータ本体（配信内容の実体）を受信し（ステップＳ２４０）、データ保存部２１０ｅに保存する（ステップＳ２５０）。
【００４３】
その後は、ステップＳ２６０で配信スケジュール（配信時間）になるのを待ち、配信時間になったら（ステップＳ２６０：Ｙ）、指定されたＭＦＰあるいはＰＣにデータを配信する（ステップＳ２７０）。指定されたＭＦＰあるいはＰＣが正常に受信できた場合、該指定されたＭＦＰあるいはＰＣからデータ配信結果（受信成功）を受信する（ステップＳ２８０）。指定されたＭＦＰあるいはＰＣは配信されたデータ（配信内容の実体）を出力する（表示装置への表示、あるいはスピーカでの音声出力）。
【００４４】
図５〜図９は、本発明に係る集中情報管理装置２１０のデータ保存部２１０ｅに保存される各種管理テーブルの構成例を示す図である。
【００４５】
より詳しくは、図５はニュース配信用の管理テーブルＡ１の構成例、図６は音楽ダウンロード用の管理テーブルＡ２の構成例、図７は音声配信用の管理テーブルＡ３の構成例、図８はニュースデータの管理テーブルＡ４の構成例、図９は音声データの管理テーブルＡ５の構成例を示す図である。
【００４６】
以下、図５〜図９について具体的に説明する。
図５は、ニュース配信用の管理テーブルＡ１の構成例を示す図であり、機器ＩＤ（どの機器（ＭＦＰ，ＰＣ）か特定するためのＩＤ）と配信ジャンル（国内・海外・経済・政治・・・など）と配信ニュースリスト（集中情報管理装置２１０に配信されているニュースのリスト）からなっている。このテーブルは管理している機器（ＭＦＰ，ＰＣ）の台数分存在している。
【００４７】
図６は、音楽ダウンロード用の管理テーブルＡ２の構成例を示す図であり、機器ＩＤ（どの機器か特定するためのＩＤ）と配信ジャンル（邦楽・洋楽・演歌・・・など）と配信音楽リスト（集中情報管理装置２１０に配信されている音楽のリスト）からなっている。このテーブルは管理している機器（ＭＦＰ，ＰＣ）の台数分存在している。
【００４８】
図７は、音声配信用の管理テーブルＡ３の構成例を示す図であり、機器ＩＤ（どの機器（ＭＦＰ，ＰＣ）か特定するためのＩＤ）とスケジュール（即時・一定間隔・時間指定・曜日指定・日付指定）と年月日時間（スケジュールに使用する。時間指定や日付指定の場合）と曜日（スケジュールに使用する。曜日指定の場合）と間隔（スケジュールに使用する。一定間隔の場合）と音声パターン（繰り返し、単一、プレイリスト、連続、ランダム）と繰り返し回数（繰り返しの場合）と音声データ番号からなっている。このテーブルは管理している機器（ＭＦＰ，ＰＣ）の台数分存在している。
【００４９】
図８は、ニュースデータの管理テーブルＡ４の構成例を示す図であり、ニュースデータ番号とニュースデータ名称（略称）とニュースデータ（データの格納場所）からなっている。
【００５０】
図９は、音声データの管理テーブルＡ５の構成例を示す図であり、音声データ番号と音声データ名称（音声データの略称）と音声実データ（データの格納場所）とからなっている。
【００５１】
次に、音楽ダウンロードおよびニュース配信の場合の処理の流れについて考える。
（ａ）集中情報管理装置２１０は、一定間隔でセンター１００に音楽ダウンロード用の管理テーブルの配信ジャンルを送信する（図４のステップＳ２００に相当）。
（ｂ）センター１００は受信した配信ジャンルに応じた最新のニュース・音楽リストを集中情報管理装置２１０へ送信する（同ステップＳ２１５に相当）。
【００５２】
（ｃ）集中情報管理装置２１０は、センター１００から送信されてきたリストと、既に集中情報管理装置２１０に配信されているニュース・音楽のリストを比較し（同ステップＳ２２０に相当）、差分があれば（同ステップＳ２２０：Ｙ）、差分のあるデータの番号をセンター１００に送信する（同ステップＳ２３０に相当）。
【００５３】
（ｄ）センター１００は、集中情報管理装置２１０から送信され番号に対応するデータ本体を集中情報管理装置２１０に送信する。
（ｅ）集中情報管理装置２１０は、センター１００から送信されてきたデータ本体を受信し（同ステップＳ２４０に相当）、保存する（同ステップＳ２５０に相当）。
【００５４】
（ｆ）音楽配信の場合は、音声配信用の管理テーブルに設定されたスケジュールにしたがって再生される（同ステップＳ２６０〜ステップＳ２８０）。
（ｇ）ニュース配信の場合は、即時に機器（ＭＦＰ，ＰＣ）へニュースデータが配信される（同ステップＳ２６０〜ステップＳ２８０）。
【００５５】
次に、音声配信の具体例を説明する。
図１０は、本例で用いられる音声配信用の管理テーブルの具体例１を示す図であり、機器ＩＤとして「Ａ００１＿０１０１０１」、スケジュールとして「時間指定・曜日指定」、年月日時間として「１２：００」、曜日として「月〜金」、間隔として「指定なし」、音声パターンとして「プレイリスト、連続」、繰り返し回数として「指定なし」、音声データ番号として「１、３、５」が設定されている場合を示している。
【００５６】
これは、例えば、お昼休みを告げるチャイムの場合の例であり、「Ａ００１＿０１０１０１」という機器ＩＤを有する機器に、月曜日〜金曜日の１２：００に、プレイリスト（音声データ番号１→３→５）を再生することを意味している。
【００５７】
図１１は、本例で用いられる音声配信用の管理テーブルの具体例２を示す図であり、機器ＩＤとして「Ａ００１＿０１０１０２」、スケジュールとして「一定間隔」、年月日時間として「指定なし」、曜日として「指定なし」、間隔として「６０分」、音声パターンとして「プレイリスト、ランダム」、繰り返し回数として「繰返しなし」、音声データ番号として「６，７，８，９，１０」が設定されている場合を示している。
【００５８】
これは、例えば、仕事中のＢＧＭの場合の例であり、「Ａ００１＿０１０１０２」という機器ＩＤを有する機器に、６０分毎に、プレイリスト（音声データ番号６，７，８，９，１０）の音楽をランダムに再生することを意味している。
【００５９】
図１２は、図１０〜図１１の例で示した音声データ番号１〜１０の具体例を示す図であり、本例では、音声データ番号１として「開始」、音声データ番号２として「連絡」、音声データ番号３として「昼休み」、音声データ番号４として「緊急」、音声データ番号５として「終了」、音声データ番号６として「ショパン」、音声データ番号７として「バッハ」、音声データ番号８として「ベートーベン」、音声データ番号９として「シューベルト」、音声データ番号１０として「チャイコフスキー」が設定されており、それぞれの音声実データの格納場所も設定されている。
【００６０】
図１３は、ニュースデータ番号の具体例を示す図であり、本例では、ニュースデータ番号１として「３月１日最新ニュース（１）」、ニュースデータ番号２として「３月１日最新ニュース（２）」、ニュースデータ番号３として「３月１日最新ニュース（３）」が設定されており、ニュース実データの格納場所も設定されている。
【００６１】
以上説明したように、上述した実施例によれば、
ａ）集中情報管理装置がＭＦＰやＰＣを一元管理していることによって、音源データや表示データを一括で管理でき、ＭＦＰやＰＣ個別に対して必要なデータの配信を行うことが可能となる。また、ＭＦＰやＰＣの要求を集中情報管理装置が受信し、設定内容やデータの配信内容が変更可能となる。また、集中情報管理装置のブラウザからも変更可能にすることができる。なお、ＰＣ、全てのＭＦＰ、集中情報管理装置のいずれからも設定内容やデータの配信内容の設定、変更可能にするようにしてもよいが、ＰＣのみ、あるいは、ＭＦＰのうち指定された１個または数個のＭＦＰからのみ設定内容やデータの配信内容の設定、変更可能にするようにしてもよい。
【００６２】
ｂ）集中情報管理装置に配信する放送・音楽を登録し、その実行時間、配信するＭＦＰやＰＣを決定し、決定したＭＦＰやＰＣを音源として個別に放送や音楽などのデータ（緊急情報の放送や、お昼休みのチャイム、仕事中のＢＧＭ）の配信を行うことができる。また、ＭＦＰやＰＣからのリクエストを受付、あるいは集中情報管理装置自身からのリクエストにより設定内容や放送内容・音楽を変更することも可能である。
【００６３】
ｃ）集中情報管理装置にＭＦＰやＰＣの画面に表示する内容やダウンロードするサイト情報を登録することで、ＭＦＰやＰＣの画面を掲示板として、最新ニュースや天気予報、ＭＦＰやＰＣのバージョンアップ情報、社内の掲示板情報に活用可能である。また、ＭＦＰやＰＣからのリクエストを受付、あるいは集中情報管理装置自身からのリクエストにより表示する内容の選択を行ない変更することも可能である。
【００６４】
ｄ）集中情報管理装置がＭＦＰやＰＣを管理対象機器として機器情報を保持しており、設定されたタイミングでＭＦＰやＰＣの状態監視を行っているので、データを配信可能かどうかＭＦＰやＰＣ個別に判断することが可能である。
【００６５】
ｅ）集中情報管理装置もサーバーとなる構成なので、集中情報管理装置のデータ配信やＭＦＰの設定変更を可能としているから、ＭＦＰやＰＣからの要求を処理できる。
【００６６】
ｆ）集中情報管理装置には大容量のＳＳＤを増設でき、大容量データの一括管理が可能である構成となっているため、データの一元管理が可能である。
【００６７】
ｇ）集中情報管理装置は管理対象のＭＦＰやＰＣを監視し、どこに設置されていてどのＩＰアドレスが割り当たっているか検索可能であるため、ＭＦＰやＰＣのＩＰアドレスが変更になっても、再検索機能でＭＦＰを探し出すことが可能である。
【００６８】
ｈ）集中情報管理装置にはブラウザ（集中情報管理装置自身、ＭＦＰあるいはＰＣが備えるブラウザ）からＭＦＰやＰＣに対する設定が可能であり、その設定情報に基づいて集中情報管理装置が振舞うため、ＭＦＰやＰＣには何の設定を行う必要がない。
【００６９】
なお、図３、図４に示したフローチャートの処理や機能は、集中情報管理装置を構成するコンピュータに内蔵されるＣＰＵやメモリなどのハードウェア資源を用いて、各処理や機能に対応するプログラムを実行することによって実現される。また、該プログラムは、ＦＤ、ＣＤ−ＲＯＭ、ＤＶＤなどの記録媒体や、インターネットなどのネットワークを介して市場に流通させることができる。
【符号の説明】
【００７０】
１００：センター
１００ａ：リクエスト受信部
１００ｂ：データ配信部
２００：お客様環境（ユーザの装置環境）
２１０：集中情報管理装置
２１１:ＳＳＤ
２１０ａ：リクエスト送信部
２１０ｂ：リクエスト受信部
２１０ｃ：設定部
２１０ｄ：データ受信部
２１０ｅ：データ保存部
２１０ｆ：データ配信部
２２０ａ:ネットワークスピーカー対応ＭＦＰ
２２０ａ０:リクエスト送信部
２２０ａ１:音源部
２２０ａ２：表示部
２２０ａ３：データ受信部
２２０ｂ:ネットワークスピーカー対応ＭＦＰ
２２０ｂ０:リクエスト送信部
２２０ｂ１:音源部
２２０ｂ２：表示部
２２０ｂ３：データ受信部
２３０：ＰＣ
２３０ａ:リクエスト送信部
２３０ｂ:音源部
２３０ｃ：表示部
２３０ｄ：データ受信部
２４０：ネットワーク（ＬＡＮ）
３００：インターネット
【図１】
2011199710.tif 000003
【図２】
2011199710.tif 000004
【図３】
2011199710.tif 000005
【図４】
2011199710.tif 000006
【図５】
2011199710.tif 000007
【図６】
2011199710.tif 000008
【図７】
2011199710.tif 000009
【図８】
2011199710.tif 000010
【図９】
2011199710.tif 000011
【図１０】
2011199710.tif 000012
【図１１】
2011199710.tif 000013
【図１２】
2011199710.tif 000014
【図１３】
2011199710.tif 000015